(57)【要約】【課題】無駄な電力消費を低減可能な携帯電話機を提供する。【解決手段】Ｌ１／ＭＡＣ１３１はＳＭＳ−ＣＢメッセージを受信するためにＣＴＣＨを使用し、ＣＴＣＨで正しく受信することができている割合を測定する。ＲＬＣ１３２はＳＭＳ−ＣＢメッセージの先頭ブロックを検出し、先頭ブロックのみをＢＭＣ１３３に通知する。ＢＭＣ１３３はＲＬＣ１３２から受取った先頭ブロックを受信した場合、そのブロックを含むＳＭＳ−ＣＢメッセージの必要性を判断する。ＲＲＣ１３４はどのブロックを受信するかを、Ｌ１／ＭＡＣ１３１の受信品質を監視して解析することができ、基地局から送られてくるシステムインフォメーションを基にどのＣＴＣＨのブロックを受信するかを判断し、その結果に基づいてＬ１／ＭＡＣ１３１とＲＬＣ１３２とを制御する。【選択図】      図２
2004200943.tif 000002
【特許請求の範囲】
【請求項１】
基地局から特定地域の全ての受信者にブロードキャストされるＳＭＳ−ＣＢ（Ｓｈｏｒｔ  Ｍｅｓｓａｇｅ  Ｓｅｒｖｉｃｅ−Ｃｅｌｌ  Ｂｒｏａｄｃａｓｔ）メッセージを受信可能な携帯電話機であって、前記基地局から送信されてきた前記ＳＭＳ−ＣＢメッセージが必要か否かを判断する手段と、その判断の結果において不必要と判断した前記ＳＭＳ−ＣＢメッセージの後方部分の受信を停止する手段とを有することを特徴とする携帯電話機。
【請求項２】
前記必要か否かを判断する手段は、前記ＳＭＳ−ＣＢメッセージの先頭部分から要・不要を判断することを特徴とする請求項１記載の携帯電話機。
【請求項３】
前記ＳＭＳ−ＣＢメッセージが複数のブロックからなる場合に受信に失敗したブロックのみを受信する手段を含むことを特徴とする請求項１または請求項２記載の携帯電話機。
【請求項４】
前記複数のブロックのうちの受信に成功したブロックを蓄積する手段を含むことを特徴とする請求項３記載の携帯電話機。
【請求項５】
前記基地局側から送信されてきた特定メッセージに付加された送信タイミングを基に予め設定された所定メッセージを受信する手段を含むことを特徴とする請求項１から請求項４のいずれか記載の携帯電話機。
【請求項６】
前記特定メッセージ及び前記所定メッセージが、どのようなメッセージが基地局側から送信されるかを事前に示すスケジュールメッセージであることを特徴とする請求項５記載の携帯電話機。
【請求項７】
信号受信品質を測定する手段と、前記信号受信品質の変化に応じて通常の受信動作を行う通常受信モードとバッテリの消費電力を抑制するバッテリセービングモードとを切替える手段とを含むことを特徴とする請求項１から請求項６のいずれか記載の携帯電話機。
【請求項８】
前記信号受信品質が低下した時に前記通常受信モードから前記バッテリセービングモードに遷移させることを特徴とする請求項７記載の携帯電話機。
【請求項９】
前記信号受信品質が向上した時に前記バッテリセービングモードから前記通常受信モードに遷移させることを特徴とする請求項７または請求項８記載の携帯電話機。
【請求項１０】
通常の受信動作を行う通常受信モードとバッテリの消費電力を抑制するバッテリセービングモードとを予め設定された所定時間が経過した時に切替えることを特徴とする請求項１から請求項９のいずれか記載の携帯電話機。
【請求項１１】
基地局から特定地域の全ての受信者にブロードキャストされるＳＭＳ−ＣＢ（Ｓｈｏｒｔ  Ｍｅｓｓａｇｅ  Ｓｅｒｖｉｃｅ−Ｃｅｌｌ  Ｂｒｏａｄｃａｓｔ）メッセージを受信可能な携帯電話機のバッテリセービング方法であって、前記携帯電話機側に、送信されてきた前記ＳＭＳ−ＣＢメッセージが必要か否かを判断するステップと、その判断の結果において不必要と判断した前記ＳＭＳ−ＣＢメッセージの後方部分の受信を停止するステップとを有することを特徴とするバッテリセービング方法。
【請求項１２】
前記必要か否かを判断するステップは、前記ＳＭＳ−ＣＢメッセージの先頭部分から要・不要を判断することを特徴とする請求項１１記載のバッテリセービング方法。
【請求項１３】
前記携帯電話機側に、前記ＳＭＳ−ＣＢメッセージが複数のブロックからなる場合に受信に失敗したブロックのみを受信するステップを含むことを特徴とする請求項１１または請求項１２記載のバッテリセービング方法。
【請求項１４】
前記携帯電話機側に、前記複数のブロックのうちの受信に成功したブロックを蓄積するステップを含むことを特徴とする請求項１３記載のバッテリセービング方法。
【請求項１５】
前記携帯電話機側に、前記基地局側から送信されてきた特定メッセージに付加された送信タイミングを基に予め設定された所定メッセージを受信するステップを含むことを特徴とする請求項１１から請求項１４のいずれか記載のバッテリセービング方法。
【請求項１６】
前記特定メッセージ及び前記所定メッセージが、どのようなメッセージが基地局側から送信されるかを事前に示すスケジュールメッセージであることを特徴とする請求項１５記載のバッテリセービング方法。
【請求項１７】
前記携帯電話機側に、信号受信品質を測定するステップと、前記信号受信品質の変化に応じて通常の受信動作を行う通常受信モードとバッテリの消費電力を抑制するバッテリセービングモードとを切替えるステップとを含むことを特徴とする請求項１１から請求項１６のいずれか記載のバッテリセービング方法。
【請求項１８】
前記信号受信品質が低下した時に前記通常受信モードから前記バッテリセービングモードに遷移させることを特徴とする請求項１７記載のバッテリセービング方法。
【請求項１９】
前記信号受信品質が向上した時に前記バッテリセービングモードから前記通常受信モードに遷移させることを特徴とする請求項１７または請求項１８記載のバッテリセービング方法。
【請求項２０】
通常の受信動作を行う通常受信モードとバッテリの消費電力を抑制するバッテリセービングモードとを予め設定された所定時間が経過した時に切替えることを特徴とする請求項１１から請求項１９のいずれか記載のバッテリセービング方法。
【発明の詳細な説明】
【０００１】
【発明の属する技術分野】
本発明は携帯電話機及びそれに用いるバッテリセービング方法に関し、特にＷ−ＣＤＭＡ（Ｗｉｄｅｂａｎｄ−Ｃｏｄｅ  Ｄｉｖｉｓｉｏｎ  Ｍｕｌｔｉｐｌｅ  Ａｃｃｅｓｓ）におけるＳＭＳ−ＣＢ（Ｓｈｏｒｔ  Ｍｅｓｓａｇｅ  Ｓｅｒｖｉｃｅ−Ｃｅｌｌ  Ｂｒｏａｄｃａｓｔ）受信時のバッテリセービング方法に関する。
【０００２】
【従来の技術】
現在、ＳＭＳにおいては、主に、ニュース、交通情報、株式情報等の新しい情報を携帯電話機のユーザに提供するために用いられたり、携帯電話機のユーザ間において特定のショートメッセージを交換するために使用されている。
【０００３】
一般的に、ＳＭＳは通話チャネルとは別のページングチャネルを利用してメッセージを伝送している。したがって、このＳＭＳで伝達することができるデータの量は制限的であるが、携帯電話機が移動通信システムに連結されなくてもメッセージを受信することができる。
【０００４】
もちろん、全てのＳＭＳがページングチャネルを通してメッセージを伝送するのではなく、携帯電話機からメッセージを伝送する場合にはトラフィックチャネルが利用される。
【０００５】
また、ＳＭＳにはポイントツーポイントモード（ｐｏｉｎｔ−ｔｏ−ｐｏｉｎｔ  ｍｏｄｅ）及びセルブロードキャストモード（ｃｅｌｌ−ｂｒｏａｄｃａｓｔ  ｍｏｄｅ、またはｐｏｉｎｔ−ｔｏ−ｏｍｎｉｐｏｉｎｔ  ｍｏｄｅ）を使用することができる。
【０００６】
ここで、ポイントツーポイントモードは携帯電話機のユーザ間においてメッセージを伝送するために使用されるモードであり、セルブロードキャストモードは所定のセル内の多数の加入者に、上記のニュース、交通情報、株式情報等の多様な情報を伝送するために使用されるモードである。特に、セルブロードキャストモードはＳＭＳを利用した広告方法等に用いられている（例えば、特許文献１参照）。
【０００７】
【特許文献１】
特開２００２−２４５３４７号公報（第３〜１２頁、図６）
【０００８】
【発明が解決しようとする課題】
上述した従来の携帯電話機では、必要のないＳＭＳ−ＣＢメッセージ（Ｍｅｓｓａｇｅ）とわかっていても、そのメッセージの受信を途中で止めることはなく、その間に無駄な電力が消費されしまうこととなる。
【０００９】
また、従来の携帯電話機では、ＳＭＳ−ＣＢメッセージを構成するブロック（ｂｌｏｃｋ）のうちのあるブロックの受信に失敗した時、そのＳＭＳ−ＣＢメッセージ全体を再送してもらうことしかできないため、ＳＭＳ−ＣＢメッセージ全体を再送するために無駄な電力が消費されしまうこととなる。
【００１０】
さらに、従来の携帯電話機では、ＳＭＳ−ＣＢメッセージ内に基地局側からどのようなメッセージが送信されるかを事前に示すスケジュールメッセージ（Ｓｃｈｅｄｕｌｅ  Ｍｅｓｓａｇｅ）を組込むことができるが、そのスケジュールメッセージを見つけるために全てのＳＭＳ−ＣＢメッセージを受信することとなり、その間に無駄な電力が消費されしまうこととなる。
【００１１】
さらにまた、従来の携帯電話機では、受信品質が悪い時にＳＭＳ−ＣＢメッセージの受信に失敗すると、何度もＳＭＳ−ＣＢメッセージの再受信を試みることとなり、その間に無駄な電力が消費されしまうこととなる。
【００１２】
そこで、本発明の目的は上記の問題点を解消し、無駄な電力消費を低減することができる携帯電話機及びそれに用いるバッテリセービング方法を提供することにある。
【００１３】
【課題を解決するための手段】
本発明による携帯電話機は、基地局から特定地域の全ての受信者にブロードキャストされるＳＭＳ−ＣＢ（Ｓｈｏｒｔ  Ｍｅｓｓａｇｅ  Ｓｅｒｖｉｃｅ−Ｃｅｌｌ  Ｂｒｏａｄｃａｓｔ）メッセージを受信可能な携帯電話機であって、前記基地局から送信されてきた前記ＳＭＳ−ＣＢメッセージが必要か否かを判断する手段と、その判断の結果において不必要と判断した前記ＳＭＳ−ＣＢメッセージの後方部分の受信を停止する手段とを備えている。
【００１４】
本発明によるバッテリセービング方法は、基地局から特定地域の全ての受信者にブロードキャストされるＳＭＳ−ＣＢ（Ｓｈｏｒｔ  Ｍｅｓｓａｇｅ  Ｓｅｒｖｉｃｅ−Ｃｅｌｌ  Ｂｒｏａｄｃａｓｔ）メッセージを受信可能な携帯電話機のバッテリセービング方法であって、前記携帯電話機側に、前記基地局から送信されてきた前記ＳＭＳ−ＣＢメッセージが必要か否かを判断するステップと、その判断の結果において不必要と判断した前記ＳＭＳ−ＣＢメッセージの後方部分の受信を停止するステップとを備えている。
【００１５】
すなわち、本発明の携帯電話機は、特定地域の全ての受信者にＳＭＳ−ＣＢ（Ｓｈｏｒｔ  Ｍｅｓｓａｇｅ  Ｓｅｒｖｉｃｅ−Ｃｅｌｌ  Ｂｒｏａｄｃａｓｔ）メッセージ（Ｍｅｓｓａｇｅ）をブロードキャストすることが可能なサービスであるＳＭＳ−ＣＢを用いたものである。
【００１６】
ＳＭＳ−ＣＢでは、上述したように、多種多様なＳＭＳ−ＣＢメッセージが送信されることになる。その中に、どのようなメッセージが基地局側から送信されるかを事前に示すスケジュールメッセージ（Ｓｃｈｅｄｕｌｅ  Ｍｅｓｓａｇｅ）も含まれている。
【００１７】
本発明の携帯電話機では、このＳＭＳ−ＣＢメッセージの受信において、ユーザにとって必要のないＳＭＳ−ＣＢメッセージを受信することを回避し、電力消費を抑えることが可能となる。
【００１８】
但し、通信状態が悪い場所では、正確なＳＭＳ−ＣＢメッセージの受信が難しく、再び同じＳＭＳ−ＣＢメッセージを受信しなければならない。特に、上記のスケジュールメッセージを受信することができないと、どのようなＳＭＳ−ＣＢメッセージが送信されてくるのかわからなくなるので、携帯電話機ではスケジュールメッセージを受信することができるまで、全てのＳＭＳ−ＣＢメッセージを受信しなければならない。その結果、携帯電話機では電力消費が大きくなり、待受時間が短くなってしまう。
【００１９】
本発明の携帯電話機は、上記のような無駄な電力消費を防ぐものであり、以下の４つの方法のいずれかでそれを実現している。つまり、本発明の携帯電話機では、必要のないＳＭＳ−ＣＢメッセージを早期に判断し、後に続く部分を読まない方法、部分的に受信を失敗したブロック（ｂｌｏｃｋ）をＳＭＳ−ＣＢメッセージが再送される時に補完する方法、スケジュールメッセージを受信するタイミングを基地局からもらい、効率よく受信する方法、受信品質が悪い時にＳＭＳ−ＣＢメッセージの受信を停止する方法のいずれかの方法をとっている。その結果、本発明の携帯電話機では、無駄な電力消費を抑え、待受け時間を延ばすことが可能となる。
【００２０】
【発明の実施の形態】
次に、本発明の実施例について図面を参照して説明する。図１は本発明の一実施例による携帯電話機の構成を示すブロック図である。図１において、携帯電話機１は電話を受信するアンテナ１１と、電波を復調する無線部１２と、復調されたデータを制御する制御部１３と、データを保存しかつ制御部１３が実行するプログラム（コンピュータで実行可能なプログラム）を格納するメモリ１４と、データを表示するディスプレイ１５とから構成されている。
【００２１】
無線部１２は図示せぬ基地局から送信された電波がアンテナ１１で受信されると、ＲＦ（高周波）信号に変調されている受信電波を復調する。制御部１３は無線部１２で復調された受信電波の中からＳＭＳ−ＣＢ（Ｓｈｏｒｔ  Ｍｅｓｓａｇｅ  Ｓｅｒｖｉｃｅ−Ｃｅｌｌ  Ｂｒｏａｄｃａｓｔ）に関するＳＭＳ−ＣＢメッセージ（Ｍｅｓｓａｇｅ）を解析して処理し、その結果、必要があると判断すると、受信したデータをメモリ１４に保存するとともに、ユーザに視覚的にわかるようにディスプレイ１５に表示する。
【００２２】
図２は図１の制御部１３の構成を示すブロック図である。図２において、制御部１３はＬ１／ＭＡＣ（Ｌａｙｅｒ  １／Ｍｅｄｉｕｍ  Ａｃｃｅｓｓ  Ｃｏｎｔｒｏｌ）１３１と、ＲＬＣ（Ｒａｄｉｏ  Ｌｉｎｋ  Ｃｏｎｔｒｏｌ）１３２と、ＢＭＣ（Ｂｒｏａｄｃａｓｔ／Ｍｕｌｔｉｃａｓｔ  Ｃｏｎｔｒｏｌ）１３３と、ＲＲＣ（Ｒａｄｉｏ  Ｒｅｓｏｕｒｃｅ  Ｃｏｎｔｒｏｌ）１３４とを備えている。
【００２３】
Ｌ１／ＭＡＣ１３１ではＳＭＳ−ＣＢメッセージを受信するために、ＣＴＣＨ（Ｃｏｍｍｏｎ  Ｔｒａｆｆｉｃ  Ｃｈａｎｎｅｌ）を使用する。Ｌ１／ＭＡＣ１３１はＣＴＣＨで正しく受信することができている割合を測定する受信品質測定機能を持っている。
【００２４】
ＲＬＣ１３２はＬ１／ＭＡＣ１３１から受信した複数のＣＴＣＨのブロック（ｂｌｏｃｋ）が１つのＳＭＳ−ＣＢメッセージを構成していれば、１つのＳＭＳ−ＣＢメッセージに組立ててＢＭＣ１３３に通知する。ＲＬＣ１３２は正確に受信することができなかったブロックがある場合、再送されるブロックを受信するまで、他の正確に受信することができたブロックを保存しておくための再送待ちバッファ（図示せず）を備えている。これによって、ＲＬＣ１３２はＳＭＳ−ＣＢメッセージの先頭ブロックを検出し、先頭ブロックのみをＢＭＣ１３３に通知することができる。
【００２５】
ＢＭＣ１３３はどのようなメッセージが基地局側から送信されるかを事前に示すスケジュールメッセージ（Ｓｃｈｅｄｕｌｅ  Ｍｅｓｓａｇｅ）情報を解析し、後に送信される必要なＳＭＳ−ＣＢメッセージを選択することができる。ＢＭＣ１３３はＲＬＣ１３２から受取った先頭ブロックを受信した場合、そのブロックを含むＳＭＳ−ＣＢメッセージの必要性を判断することができる。
【００２６】
ＲＲＣ１３４はどのブロックを受信するかを、Ｌ１／ＭＡＣ１３１の受信品質を監視して解析することができる。ＲＲＣ１３４は基地局から送られてくるシステムインフォメーション（ＳＹＳＴＥＭ  ＩＮＦＯＲＭＡＴＩＯＮ）を受信し、どのＣＴＣＨのブロックを受信するかの判断結果に基づいてＬ１／ＭＡＣ１３１とＲＬＣ１３２とを制御することができる。
【００２７】
図３は本発明の一実施例においてＳＭＳ−ＣＢメッセージを不必要と判断する例を示す図であり、図４は本発明の一実施例による不必要なＳＭＳ−ＣＢメッセージの読込みを防止する動作を示すシーケンスチャートであり、図５は本発明の一実施例に用いられるＳＭＳ−ＣＢメッセージの構成例を示す図である。
【００２８】
図６は本発明の一実施例においてブロック受信を失敗した例を示す図であり、図７は本発明の一実施例において受信に失敗したブロックの補完読込みの動作を示すシーケンスチャートであり、図８は本発明の一実施例に用いられるＣＴＣＨのブロック例を示す図である。
【００２９】
図９は本発明の一実施例によるスケジュールメッセージ情報を含むシステムインフォメーション受信の動作を示すシーケンスチャートであり、図１０は本発明の一実施例によるエラー率による状態遷移を示す図であり、図１１は本発明の一実施例による受信品質による動作及び停止の設定動作を示すシーケンスチャートであり、図１２は本発明の一実施例によるＳＭＳ−ＣＢメッセージの受信判断の動作を示すフローチャートである。
【００３０】
これら図１〜図１２を参照して本発明の一実施例による携帯電話機１の動作について説明する。本発明の一実施例による携帯電話機１は、上記のような無駄な電力消費を防ぐものであり、以下の４つの方法のいずれかでそれを実現している。
【００３１】
つまり、本発明の一実施例による携帯電話機１では、必要のないＳＭＳ−ＣＢメッセージを早期に判断し、後に続く部分を読まない方法、部分的に受信を失敗したブロックをＳＭＳ−ＣＢメッセージが再送される時に補完する方法、スケジュールメッセージを受信するタイミングを基地局からもらい、効率よく受信する方法、受信品質が悪い時にＳＭＳ−ＣＢメッセージの受信を停止する方法のいずれかの方法をとっている。その結果、本発明の一実施例による携帯電話機１では、無駄な電力消費を抑え、待受け時間を延ばすことができる。以下、これらの方法について順を追って説明する。
【００３２】
まず、不必要なＳＭＳ−ＣＢメッセージの再受信停止の方法について説明する。図３にはブロック＃１〜＃３に分割されているＳＭＳ−ＣＢメッセージを受信する例を示している。この場合、ＳＭＳ−ＣＢメッセージは、図５に示すように、３分割（ブロック＃１〜＃３）されているものとする。
【００３３】
このうちのブロック＃１に、ＳＭＳ−ＣＢメッセージの必要性を判断するためのヘッダ情報（Ｐａｒａｍｅｔｅｒ、Ｍｅｓｓａｇｅ  Ｔｙｐｅ、Ｍｅｓｓａｇｅ  ＩＤ、Ｓｅｒｉａｌ  Ｎｕｍｂｅｒ、Ｄａｔａ  Ｃｏｄｉｎｇ  Ｓｃｈｅｍｅ）が全て含まれている。
【００３４】
制御部１３ではＬ１／ＭＡＣ１３１で受信したブロック＃１をＲＬＣ１３２を経由してＢＭＣ１３３に送り、ＢＭＣ１３３はＳＭＳ−ＣＢメッセージが必要かどうかを判断する。ＢＭＣ１３３が必要ないと判断すると、その後のブロック＃２，＃３を受信しないように設定している。
【００３５】
この動作について図４を参照して説明する。携帯電話機１は基地局がブロック＃１を送信すると（図４のａ１）、そのブロックをＬ１／ＭＡＣ１３１で受信してＲＬＣ１３２に通知する（図４のａ２）。
【００３６】
ＲＬＣ１３２は受信したブロック＃１をＳＭＳ−ＣＢメッセージの先頭ブロックだと判断すると（図４のａ３）、そのブロックをＢＭＣ１３３に通知する（図４のａ４）。ＢＭＣ１３３は後述する方法で、ＳＭＳ−ＣＢメッセージが必要かどうかを判断する（図４のａ５）。ここでは必要ないと判断するので、ＢＭＣ１３３は不必要である旨をＲＲＣ１３４に通知する（図４のａ６）。
【００３７】
ＲＲＣ１３４はＳＭＳ−ＣＢメッセージを受信しないと判断し（図４のａ７）、ＲＬＣ１３２に受信したブロック＃１の削除と後続ブロックを受信しないように設定し（図４のａ８）、同様に、ＲＲＣ１３４はＬ１／ＭＡＣ６で後続ブロックを受信しないように設定する（図４のａ９）。Ｌ１／ＭＡＣ１３１は後続ブロックを読まないように設定されているので、ブロック＃２が送信されてきても受信を拒否する（図４のａ１０，ａ１１）。
【００３８】
次に、受信を失敗したブロックを再送によって補完する方法について説明する。図６にはブロック＃２が受信できなかった例を示している。この場合、「Ｂ１」と「Ｂ２」が一つのＳＭＳ−ＣＢメッセージとなっている。「Ｂ１」及び「Ｂ２」はブロック＃１とブロック＃２とで送信され、さらに「Ｂ１」及び「Ｂ２」はブロック＃１０とブロック＃１１とで再送される。
【００３９】
Ｌ１／ＭＡＣ１３１からＲＬＣ１３２にブロック＃１が通知され（図７のｂ１）、続いてブロック＃２が通知されようとすると（図７のｂ２）、ＲＬＣ１３２はブロック＃２が正常に受信することができないことを検知し（図７のｂ３）、受信失敗したブロック＃２より前、つまりブロック＃１をバッファに保存しておく。
【００４０】
ＲＬＣ１３２は受信失敗したブロックを再受信するようにＢＭＣ１３３に通知する（図７のｂ４）。ＢＭＣ１３３はスケジュールメッセージを調べ、受信失敗したブロックが再送されるかどうかを調べる（図７のｂ５）。この例では、ブロック＃２と同じものがブロック＃１１で再送されるので、ブロック＃１１を受信するようにＲＲＣ１３４に要求する（図７のｂ６）。
【００４１】
ＲＲＣ１３４はそれぞれＲＬＣ１３２及びＬ１／ＭＡＣ１３１にブロック＃１１を受信するように設定する（図７のｂ７，ｂ８）。ＲＬＣ１３２及びＢＭＣ１３３はブロック＃１１が再送されるまで後続のブロックの受信を通常通り行うが（図７のｂ９）、ブロック＃１と同じものであるブロック＃１０は既に受信されているため、受信しない。
【００４２】
ＲＬＣ１３２はブロック＃１１を受信することができたら（図７のｂ１０）、保存しておいたブロック＃１と連結し、ＢＭＣ８にＳＭＳ−ＣＢメッセージを通知する（図７のｂ１１）。
【００４３】
さらに、システムインフォメーションにスケジュールメッセージの送信タイミングを付加する方法について説明する。図８にはＣＴＣＨで送信されるブロックの例を示している。ブロックにはスケジュールメッセージを含むものもある。スケジュールメッセージは、次のスケジュールメッセージを含むＳＭＳ−ＣＢメッセージがいつ送信されるかの情報を持つ。
【００４４】
図８に示す例では、ブロック＃１のスケジュールメッセージに、ブロック＃１２にスケジュールメッセージが入っていることを示している。ブロック＃１２のスケジュールメッセージには次のスケジュールメッセージを示し、ブロック＃６５にスケジュールメッセージがあることは、あるスケジュールメッセージに示されている。
【００４５】
スケジュールメッセージは不定期的に送信されるので、携帯電話機はいつ送信されるかわからないが、これを一部のスケジュールメッセージを定期的に送信するようにする。
【００４６】
図８において、定期的に送信されるスケジュールメッセージを含むブロックは、ブロック＃１，ブロック＃６５であり、６４ブロック毎に送信されているものとする。本実施例では、このような定期的に送信されるスケジュールメッセージのブロック送信タイミングを、ＢＣＣＨ（Ｂｒｏａｄｃａｓｔ  Ｃｏｎｔｒｏｌ
Ｃｈａｎｎｅｌ）によるシステムインフォメーションで送信している。
【００４７】
図９ではＲＲＣ１３４がスケジュールメッセージをまだ受信していない状態とする。ＲＲＣ１３４は基地局から送信されたシステムインフォメーションを受取ると（図９のｃ１）、システムインフォメーションから定期的に送信されるスケジュールメッセージのブロック送信タイミング（図８ではブロック＃６５の位置）を得て、ＲＬＣ１３２及びＬ１／ＭＡＣ１３１にそれぞれスケジュールメッセージを受信するように設定する（図９のｃ２，ｃ３）。
【００４８】
Ｌ１／ＭＡＣ１３１、ＲＬＣ１３２、ＢＭＣ１３３はそれぞれスケジュールメッセージを受信するまでの間、他のＳＭＳ−ＣＢメッセージを受信せず、消費電力を抑える（図９のｃ４）。ブロック＃６５が基地局から送信されると（図９のｃ５）、ＲＬＣ１３２はそれを受信し、そのスケジュールメッセージをＢＭＣ１３３に通知する（図９のｃ６）。
【００４９】
続いて、信号受信品質管理による下位レイヤの動作停止・再開の方法について説明する。図１０には通常の受信動作を行う通常受信モードＡ１と、図示せぬバッテリの消費電力を抑制するバッテリセービングモードＡ２との２つの受信モードを示している。
【００５０】
通常受信モードＡ１においては受信エラー率が基準よりも高くなった場合にバッテリセービングモードＡ２へ遷移し、バッテリセービングモードＡ２においては受信エラー率が基準よりも低くなった場合に通常受信モードＡ１へ遷移する。
【００５１】
図１１には受信品質が変化した時の動作を示している。ＲＲＣ１３４はＬ１／ＭＡＣ１３１のＣＴＣＨの受信品質をチェックし（図１１のｄ１）、受信品質が基準よりも下がっていると判断すると（図１１のｄ２）、消費電力を抑えるために、それぞれＲＬＣ１３２及びＬ１／ＭＡＣ１３１にＳＭＳ−ＣＢメッセージ受信拒否を設定し（図１１のｄ３，ｄ４）、バッテリセービングモードＡ２に遷移する。
【００５２】
ＲＲＣ１３４はＬ１／ＭＡＣ１３１のＣＴＣＨの受信品質をチェックし（図１１のｄ５）、受信品質が基準よりも上がっていると判断すると（図１１のｄ６））、ＳＭＳ−ＣＢメッセージを受信するために、それぞれＲＬＣ１３２及びＬ１／ＭＡＣ１３１にＳＭＳ−ＣＢメッセージを受信するように設定し（図１１のｄ７，ｄ８）、通常受信モードＡ１に遷移する。
【００５３】
続いて、携帯電話機１におけるＳＭＳ−ＣＢメッセージが必要か否かの受信判断の動作について説明する。図１２には本発明の一実施例によるＳＭＳ−ＣＢメッセージが必要か否かの受信判断の動作を示している。
【００５４】
携帯電話機１はＳＭＳ−ＣＢメッセージの最初のブロックを受信すると（図１２ステップＳ１）、Ｍｅｓｓａｇｅ  ＩＤが、受信するように設定されているか（図１２ステップＳ２）、Ｍｅｓｓａｇｅ  ＩＤのＳＭＳ−ＣＢメッセージを初めて受信したか（図１２ステップＳ３）、Ｄａｔａ  Ｃｏｄｉｎｇ  Ｓｃｈｄｕｌｅの示す言語が受信するように設定されているか（図１２ステップＳ４）、Ｓｅｒｉａｌ  Ｎｕｍｂｅｒが更新されているか（図１２ステップＳ５）、をそれぞれ判断する。
【００５５】
携帯電話機１はＭｅｓｓａｇｅ  ＩＤが受信するように設定され、Ｍｅｓｓａｇｅ  ＩＤのＳＭＳ−ＣＢメッセージを初めて受信せず、Ｄａｔａ  Ｃｏｄｉｎｇ  Ｓｃｈｄｕｌｅの示す言語が受信するように設定され、Ｓｅｒｉａｌ  Ｎｕｍｂｅｒが更新されていれば、ＳＭＳ−ＣＢメッセージを受信し（図１２ステップＳ６）、そうでなければ、ＳＭＳ−ＣＢメッセージを受信しない（図１２ステップＳ７）。
【００５６】
このように、本実施例では、不必要なＳＭＳ−ＣＢメッセージの再受信を停止する方法をとること、つまり受信中のＳＭＳ−ＣＢメッセージが必要かどうか早期に判断し、ＳＭＳ−ＣＢメッセージの後方部分を受信しないようにすることで、電力消費を低減することができる。
【００５７】
また、本実施例では、受信を失敗したブロックを再送によって補完する方法をとること、つまりあるブロックの受信に失敗した時に、そのＳＭＳ−ＣＢメッセージ全体を読むことなく、受信を失敗したブロックのみを再送時のブロックで補完することで、無駄な電力消費を低減することができる。この場合には、ＳＭＳ−ＣＢメッセージが多数のブロックに分割されていれば、受信することができる確率を向上させることができる。
【００５８】
さらに、本実施例では、システムインフォメーションにスケジュールメッセージの送信タイミングを付加する方法をとること、つまりスケジュールメッセージを見つけるために全てのＳＭＳ−ＣＢメッセージを受信することなく、システムインフォメーションによってわかるスケジュールメッセージ送信時までＳＭＳ−ＣＢメッセージを受信しなくてもよく、その結果、無駄な電力消費を低減することができる。
【００５９】
さらにまた、本実施例では、信号受信品質管理による下位レイヤの動作停止・再開を行う方法をとること、つまり受信品質が悪い時に何度も無駄に再受信するのをことなくすことで、無駄な電力消費を低減することができる。
【００６０】
尚、本発明は上記の実施例に限定されず、受信を失敗したブロックを再送によって補完する方法において、初回送信時にブロック受信を失敗した場合にそのブロック以降を受信せず、再送時に受信失敗したブロックと同等なブロック以降を受信して補完する方法、予め受信しておいたブロックを使って補完する方法等も用いることができる。
【００６１】
また、本発明は、システムインフォメーションにスケジュールメッセージの送信タイミングを付加する方法において、システムインフォメーション以外の他のメッセージにスケジュールメッセージの送信タイミングを付加する方法等も用いることができる。この方法としては、例えば、位置登録のＬａｙｅｒ３  ｍｅｓｓａｇｅにスケジュールメッセージの送信タイミングを付加する方法がある。
【００６２】
この場合、本発明では、スケジュールメッセージの送信タイミングを付加しているが、スケジュールメッセージ以外のＳＭＳ−ＣＢメッセージの送信タイミングを付加することも可能である。
【００６３】
さらに、本発明は、信号受信品質管理による下位レイヤの動作停止・再開を行う方法において、バッテリ・セービング・モードから通常受信モードへ復帰する際、タイマによる時限的なもので行う方法等も用いることができる。
【００６４】
尚、請求項の記載に関連して本発明はさらに次の態様をとりうる。
【００６５】
（１）基地局から特定地域の全ての受信者にブロードキャストされるＳＭＳ−ＣＢ（Ｓｈｏｒｔ  Ｍｅｓｓａｇｅ  Ｓｅｒｖｉｃｅ−Ｃｅｌｌ  Ｂｒｏａｄｃａｓｔ）メッセージを受信可能な携帯電話機であって、前記ＳＭＳ−ＣＢメッセージが複数のブロックからなる場合に受信に失敗したブロックのみを受信する手段を有することを特徴とする携帯電話機。
【００６６】
（２）前記複数のブロックのうちの受信に成功したブロックを蓄積する手段を含むことを特徴とする（１）記載の携帯電話機。
【００６７】
（３）基地局から特定地域の全ての受信者にブロードキャストされるＳＭＳ−ＣＢ（Ｓｈｏｒｔ  Ｍｅｓｓａｇｅ  Ｓｅｒｖｉｃｅ−Ｃｅｌｌ  Ｂｒｏａｄｃａｓｔ）メッセージを受信可能な携帯電話機であって、前記基地局側から送信されてきた特定メッセージに付加された送信タイミングを基に予め設定された所定メッセージを受信する手段を有することを特徴とする携帯電話機。
【００６８】
（４）前記特定メッセージ及び前記所定メッセージが、どのようなメッセージが基地局側から送信されるかを事前に示すスケジュールメッセージであることを特徴とする（３）記載の携帯電話機。
【００６９】
（５）基地局から特定地域の全ての受信者にブロードキャストされるＳＭＳ−ＣＢ（Ｓｈｏｒｔ  Ｍｅｓｓａｇｅ  Ｓｅｒｖｉｃｅ−Ｃｅｌｌ  Ｂｒｏａｄｃａｓｔ）メッセージを受信可能な携帯電話機であって、信号受信品質を測定する手段と、前記信号受信品質の変化に応じて通常の受信動作を行う通常受信モードとバッテリの消費電力を抑制するバッテリセービングモードとを切替える手段とを有することを特徴とする携帯電話機。
【００７０】
（６）前記信号受信品質が低下した時に前記通常受信モードから前記バッテリセービングモードに遷移させることを特徴とする（５）記載の携帯電話機。
【００７１】
（７）前記信号受信品質が向上した時に前記バッテリセービングモードから前記通常受信モードに遷移させることを特徴とする（５）または（６）記載の携帯電話機。
【００７２】
（８）基地局から特定地域の全ての受信者にブロードキャストされるＳＭＳ−ＣＢ（Ｓｈｏｒｔ  Ｍｅｓｓａｇｅ  Ｓｅｒｖｉｃｅ−Ｃｅｌｌ  Ｂｒｏａｄｃａｓｔ）メッセージを受信可能な携帯電話機であって、通常の受信動作を行う通常受信モードとバッテリの消費電力を抑制するバッテリセービングモードとを予め設定された所定時間が経過した時に切替えることを特徴とする携帯電話機。
【００７３】
（９）特定地域の全ての受信者にブロードキャストされるＳＭＳ−ＣＢ（Ｓｈｏｒｔ  Ｍｅｓｓａｇｅ  Ｓｅｒｖｉｃｅ−Ｃｅｌｌ  Ｂｒｏａｄｃａｓｔ）メッセージを受信可能な携帯電話機のバッテリセービング方法であって、前記携帯電話機側に、前記ＳＭＳ−ＣＢメッセージが複数のブロックからなる場合に受信に失敗したブロックのみを受信するステップを有することを特徴とするバッテリセービング方法。
【００７４】
（１０）前記携帯電話機側に、前記複数のブロックのうちの受信に成功したブロックを蓄積するステップを含むことを特徴とする（９）記載のバッテリセービング方法。
【００７５】
（１１）特定地域の全ての受信者にブロードキャストされるＳＭＳ−ＣＢ（Ｓｈｏｒｔ  Ｍｅｓｓａｇｅ  Ｓｅｒｖｉｃｅ−Ｃｅｌｌ  Ｂｒｏａｄｃａｓｔ）メッセージを受信可能な携帯電話機のバッテリセービング方法であって、前記携帯電話機側に、基地局側から送信されてきた特定メッセージに付加された送信タイミングを基に予め設定された所定メッセージを受信するステップを有することを特徴とするバッテリセービング方法。
【００７６】
（１２）前記特定メッセージ及び前記所定メッセージが、どのようなメッセージが基地局側から送信されるかを事前に示すスケジュールメッセージであることを特徴とする（１１）記載のバッテリセービング方法。
【００７７】
（１３）特定地域の全ての受信者にブロードキャストされるＳＭＳ−ＣＢ（Ｓｈｏｒｔ  Ｍｅｓｓａｇｅ  Ｓｅｒｖｉｃｅ−Ｃｅｌｌ  Ｂｒｏａｄｃａｓｔ）メッセージを受信可能な携帯電話機のバッテリセービング方法であって、前記携帯電話機側に、信号受信品質を測定するステップと、前記信号受信品質の変化に応じて通常の受信動作を行う通常受信モードとバッテリの消費電力を抑制するバッテリセービングモードとを切替えるステップとを有することを特徴とするバッテリセービング方法。
【００７８】
（１４）前記信号受信品質が低下した時に前記通常受信モードから前記バッテリセービングモードに遷移させることを特徴とする（１３）記載のバッテリセービング方法。
【００７９】
（１５）前記信号受信品質が向上した時に前記バッテリセービングモードから前記通常受信モードに遷移させることを特徴とする（１３）または（１４）記載のバッテリセービング方法。
【００８０】
（１６）特定地域の全ての受信者にブロードキャストされるＳＭＳ−ＣＢ（Ｓｈｏｒｔ  Ｍｅｓｓａｇｅ  Ｓｅｒｖｉｃｅ−Ｃｅｌｌ  Ｂｒｏａｄｃａｓｔ）メッセージを受信可能な携帯電話機のバッテリセービング方法であって、通常の受信動作を行う通常受信モードとバッテリの消費電力を抑制するバッテリセービングモードとを予め設定された所定時間が経過した時に切替えることを特徴とするバッテリセービング方法。
【００８１】
【発明の効果】
以上説明したように本発明は、基地局から特定地域の全ての受信者にブロードキャストされるＳＭＳ−ＣＢメッセージを受信可能な携帯電話機において、基地局から送信されてきたＳＭＳ−ＣＢメッセージを不必要と判断した時にそのＳＭＳ−ＣＢメッセージの後方部分の受信を停止することによって、無駄な電力消費を低減することができるという効果が得られる。
【図面の簡単な説明】
【図１】本発明の一実施例による携帯電話機の構成を示すブロック図である。
【図２】図１の制御部の構成を示すブロック図である。
【図３】本発明の一実施例においてＳＭＳ−ＣＢメッセージを不必要と判断する例を示す図である。
【図４】本発明の一実施例による不必要なＳＭＳ−ＣＢメッセージの読込みを防止する動作を示すシーケンスチャートである。
【図５】本発明の一実施例に用いられるＳＭＳ−ＣＢメッセージの構成例を示す図である。
【図６】本発明の一実施例においてブロック受信を失敗した例を示す図である。
【図７】本発明の一実施例において受信に失敗したブロックの補完読込みの動作を示すシーケンスチャートである。
【図８】本発明の一実施例に用いられるＣＴＣＨのブロック例を示す図である。
【図９】本発明の一実施例によるスケジュールメッセージ情報を含むシステムインフォメーション受信の動作を示すシーケンスチャートである。
【図１０】本発明の一実施例によるエラー率による状態遷移を示す図である。
【図１１】本発明の一実施例による受信品質による動作及び停止の設定動作を示すシーケンスチャートである。
【図１２】本発明の一実施例によるＳＭＳ−ＣＢメッセージの受信判断の動作を示すフローチャートである。
【符号の説明】
１  携帯電話機
１１  アンテナ
１２  無線部
１３  制御部
１４  メモリ
１５  ディスプレイ
１３１  Ｌ１／ＭＡＣ
１３２  ＲＬＣ
１３３  ＢＭＣ
１３４  ＲＲＣ
【図１】
2004200943.tif 000003
【図２】
2004200943.tif 000004
【図３】
2004200943.tif 000005
【図４】
2004200943.tif 000006
【図５】
2004200943.tif 000007
【図６】
2004200943.tif 000008
【図７】
2004200943.tif 000009
【図８】
2004200943.tif 000010
【図９】
2004200943.tif 000011
【図１０】
2004200943.tif 000012
【図１１】
2004200943.tif 000013
【図１２】
2004200943.tif 000014